(57)【要約】      （修正有）【課題】止着部材とこれに装着される被止着部材の再利用が可能な遊技機を提供する。【解決手段】封止、開放を行う際に破壊されるのはピンにおける切断部と破断部６５のみとしている。すなわち、制御ボックスの主要部分を構成する皿部材と蓋部材は一切破壊されることはない。従って、新たなピンを用意すれば、皿部材と蓋部材とを再利用することが可能である。また、視認可能に形成された確認部６１の状態を確認することにより、開放履歴を知ることができるため、不正の発見を容易にすることができる。【選択図】図１１
2011015986.tif 000002
【特許請求の範囲】
【請求項１】
被止着部材と、同被止着部材に対して装着可能な止着部材とを具備する遊技機において
、
上記被止着部材と上記止着部材とに共通して形成されるピン挿入穴と、
上記ピン挿入穴における上記止着部材と上記被止着部材にまたがる位置に挿入され、こ
の位置にて同止着部材または同被止着部材によって抜け止めされる略棒状の挿入部と、同
ピン挿入穴の外側にて同挿入部と破断可能な破断部を介して接合しつつ同ピン挿入穴の径
よりも大きく形成された確認部とからなるピンとを具備することを特徴とする遊技機。
【請求項２】
上記確認部は上記被止着部材と上記止着部材を上記遊技機に取り付けた状態において視
認可能な位置に形成されることを特徴とする請求項１に記載の遊技機。
【請求項３】
上記被止着部材または上記止着部材が連続、かつ、単独で構成する上記ピン挿入穴の部
位の長さは、上記挿入部よりも長く形成されることを特徴とする請求項１または請求項２
のいずれかに記載の遊技機。
【請求項４】
上記被止着部材と上記止着部材は基板を収容する基板ボックスを構成する二の部材であ
り、同被止着部材と同止着部材とに共通する上記ピン挿入穴が形成されるとき上記基板は
外部から隔離されることを特徴とする請求項１から請求項３のいずれかに記載の遊技機。
【請求項５】
上記被止着部材と上記止着部材の一方は基板を収容する基板ボックスであり、他方は同
基板ボックスを上記遊技機の本体に取り付けるためのベース部材であることを特徴とする
請求項１から請求項３のいずれかに記載の遊技機。
【発明の詳細な説明】
【技術分野】
【０００１】
本発明は、遊技機に関し、特に遊技機の本体に対していずれかの部材が止着される遊技
機に関する。
【背景技術】
【０００２】
従来、この種の遊技機として、相対移動が可能な蓋部材と皿部材とで制御ボックスを閉
鎖させた状態で、両者をピンにより固定するものが知られている（例えば、特許文献１、
参照。）。かかる構成によれば、ピンが係合可能な係合箇所が複数備えられるため、いず
れかの係合箇所に選択的に外側からピンを差し込むことが可能となっている。従って、制
御ボックスにおける破断箇所（特許文献１における図９の２２ａで示す部位）を破壊して
一度制御ボックスを開封しても、他の係合箇所を利用して再び制御ボックスを封止することができた。
【特許文献１】特開２００３−２９９８４９号公報
【発明の概要】
【発明が解決しようとする課題】
【０００３】
上述した遊技機において、破壊される破断箇所が制御ボックス自体に形成されているた
め、全ての破断箇所を破壊すると、当該制御ボックスを再び使用することができなくなる
という課題があった。
【０００４】
本発明は、上記課題にかんがみてなされたもので、止着部材とこれに装着される被止着
部材の再利用が可能な遊技機の提供を目的とする。
【課題を解決するための手段】
【０００５】
上記目的を達成するため、請求項１にかかる発明では、被止着部材と、同被止着部材に
対して装着可能な止着部材とを具備する遊技機において、
上記被止着部材と上記止着部材とに共通して形成されるピン挿入穴と、上記ピン挿入穴
における上記止着部材と上記被止着部材にまたがる位置に挿入され、この位置にて同止着
部材または同被止着部材によって抜け止めされる略棒状の挿入部と、同ピン挿入穴の外側
にて同挿入部と破断可能な破断部を介して接合しつつ同ピン挿入穴の径よりも大きく形成
された確認部とからなるピンとを具備する構成としてある。
【０００６】
上記のように構成した請求項１の発明は、遊技機に被止着部材と止着部材とが配設され
、両者は相互に装着することが可能である。ピン挿入穴が上記被止着部材と上記止着部材
とに共通して形成される。すなわち、上記被止着部材に形成された穴と上記止着部材に形
成された穴とが相互の軸位置を一致させることにより、同被止着部材と同止着部材とに共
通するピン挿入穴を形成することができる。一方、挿入部と確認部とから構成されるピン
が備えられ、同挿入部は略棒状に形成される。上記挿入部は上記ピン挿入穴に挿入可能で
あり、同ピン挿入穴における上記止着部材と上記被止着部材にまたがる位置にて抜け止め
することが可能である。なお、ここでいう抜け止めとは、上記挿入部の挿し込み方向には
進行可能であり、挿し込み方向とは反対の引き抜き方向には進行不能とすることを意味す
る。
【０００７】
上記確認部は上記ピン挿入穴の径よりも大きく形成される。また、上記挿入部と上記確
認部とは上記ピン挿入穴の外側にて破断可能な破断部を介して接合する。従って、上記確
認部と上記挿入部とが連結した状態においては、上記ピン挿入穴の開口の周囲を上記確認
部によって押さえつけて固定することができる。すなわち、上記被止着部材と上記止着部
材とが上記挿入部の挿入方向に離反することを規制し、両者を相互に固定することができ
る。しかし、上記破断部を破断させて上記確認部と上記挿入部を分離させることができる
ため、必要に応じて上記被止着部材と上記止着部材との固定を解除することができる。
【０００８】
また、上記挿入部は、上記ピン挿入穴における上記止着部材と上記被止着部材にまたが
る位置にて抜け止めされるため、同止着部材と同被止着部材を同挿入部の剪断方向に固定
することができる。さらに、上記確認部は上記ピン挿入穴よりも大きいため、同確認部は
同ピン挿入穴に入り込むことができない。従って、上記挿入部の上記ピン挿入穴に対する
挿入量を上記確認部によって規制することができる。すなわち、上記挿入部の上記ピン挿
入穴に対する挿入量を上記確認部によって規制することにより、上記挿入部を上記ピン挿
入穴における上記止着部材と上記被止着部材にまたがる位置よりも深い位置に挿入される
ことを防止することができる。
【０００９】
しかし、上記破断部を破断させて上記確認部と上記挿入部を分離させることにより、同
確認部の規制を受けることなく同挿入部を同ピン挿入穴における任意の位置に挿入するこ
とができる。従って、上記ピン挿入穴における上記止着部材と上記被止着部材にまたがる
位置から、さらに上記挿入部を同ピン挿入穴の奥方に挿し込むことができる。このように
して、上記挿入部を上記ピン挿入穴における上記止着部材と上記被止着部材にまたがる位
置よりも深い位置に挿入すれば、上記止着部材と上記被止着部材との同挿入部の剪断方向
への固定も解除することができる。以上のように上記ピンにおける上記破断部のみを破断
することによって上記止着部材と上記被止着部材との固定を解除することができる。
【００１０】
また、請求項２にかかる発明は、上記確認部は上記被止着部材と上記止着部材を上記遊
技機に取り付けた状態において視認可能な位置に形成される構成としてある。
【００１１】
上記のように構成した請求項２の発明において、上記被止着部材と上記止着部材を上記
遊技機に取り付けた状態において上記確認部が視認可能となる。これにより、上記確認部
が上記挿入部から離脱させられているかどうかを容易に視認することができる。従って、
上記止着部材と上記被止着部材との固定の解除履歴を簡単に把握することができる。
【００１２】
さらに、請求項３にかかる発明は、上記被止着部材または上記止着部材が連続、かつ、
単独で構成する上記ピン挿入穴の部位の長さは、上記挿入部よりも長く形成される構成と
してある。
【００１３】
上記のように構成した請求項３の発明において、上記ピン挿入穴において上記被止着部
材または上記止着部材が、単独、かつ連続的に占める部位の長さは、上記挿入部よりも長
く形成される。すなわち、当該部位に上記挿入部を位置させることにより、同挿入部が上
記止着部材と上記被止着部材とにまたがらせないようにすることができる。従って、当該
位置まで上記挿入部を挿入することにより、少なくとも上記止着部材と上記被止着部材と
の同挿入部の剪断方向に対する固定を解除することができる。
【００１４】
さらに、請求項４にかかる発明は、上記被止着部材と上記止着部材は基板を収容する基
板ボックスを構成する二の部材であり、同被止着部材と同止着部材とに共通する上記ピン
挿入穴が形成されるとき上記基板は外部から隔離される構成としてある。
【００１５】
上記のように構成した請求項４の発明において、上記被止着部材と上記止着部材を基板
が収容される基板ボックスを構成する二の部材とし、上記ピン挿入穴が形成されるとき上
記基板は外部から隔離される。このようにすることにより、上記基板が隔離された状態に
おいて上記挿入部を上記ピン挿入穴に挿し込むことができ、これにより上記基板ボックス
を構成する二の部材を相互に固定することができる。すなわち、上記基板を上記基板ボッ
クスによって封止することができる。
【００１６】
また、請求項５にかかる発明は、上記被止着部材と上記止着部材の一方は基板を収容す
る基板ボックスであり、他方は同基板ボックスを上記遊技機の本体に取り付けるためのベ
ース部材である構成としてある。
【００１７】
上記のように構成した請求項５の発明において、上記被止着部材と上記止着部材の一方
を基板が収容される基板ボックスとするとともに、もう一方を同基板ボックスを上記遊技
機の本体に取り付けるためのベース部材とすることも可能である。このようにすることに
より、上記ベース部材を介して上記基板ボックスを上記遊技機の本体に取り付けることが
できる。
【００１８】
本発明は、上記の構成に限られるものではなく、以下の手段も含むものである。
【００１９】
手段１
手段１にかかる発明は、請求項１から請求項５のいずれかに記載の発明において、上記
被止着部材における上記ピン挿入穴の内側には、内側に向かって突出する係合爪が形成さ
れるとともに、
上記挿入部には径方向外側に向かって突出し上記係合爪と係合する係合突起が形成され
る構成としてある。
【００２０】
すなわち、上記被止着部材における上記ピン挿入穴の内側に同ピン挿入穴の内側に向か
って突出する係合爪が形成し、一方上記挿入部には径方向外側に向かって突出する係合突
起を形成することにより、同係合爪と同係合突起とを係合させることができる。これによ
り上記挿入部を上記ピン挿入穴に対して抜け止めさせることができる。
【００２１】
手段２
手段２にかかる発明は、手段１に記載の発明において、上記係合爪は上記挿入部の軸方
向に一定周期状に複数形成されるとともに、上記挿入部の軸方向において上記係合爪と同
じ周期状となるように上記係合突起が複数形成される構成としてある。
【００２２】
すなわち、複数の上記係合爪を上記挿入部の軸方向に一定周期状に形成し、上記挿入部
にも同挿入部の軸方向において同係合爪と同じ周期状となるように複数の上記係合突起を
形成する。これにより、上記係合爪および上記係合突起の周期毎に同時に複数対の同係合
爪および同係合突起とを係合させることができる。また、上記係合爪および上記係合突起
が形成された周期毎に上記挿入部が上記ピン挿入穴に対して抜け止めされるため、上記挿
入部を複数の挿入位置にて抜け止めすることができる。従って、上記挿入部を浅めに挿入
したり、深めに挿入したりすることができる。
【００２３】
手段３
手段３にかかる発明は、手段１から手段２のいずれかに記載の発明において、上記係合
爪は上記止着部材または上記被止着部材に取り付けられる金属製の抜止部材に形成される
構成としてある。
【００２４】
すなわち、上記止着部材または上記被止着部材に取り付けられる金属製の抜止部材に上
記係合爪が形成される。このようにすることにより、上記係合爪が上記挿入部の無理な引
き抜きによって破壊されることを防止することができるとともに、同係合爪に良好なバネ
性を備えさせることができる。
【００２５】
手段４
手段４にかかる発明は、手段３に記載の発明において、上記抜止部材は上記止着部材ま
たは上記被止着部材に対して固定される構成としてある。
【００２６】
すなわち、上記抜止部材を上記止着部材または上記被止着部材に対して固定することに
より、確実に同抜止部材と係合する上記挿入部を抜け止めすることができる。
【００２７】
手段５
手段５にかかる発明は、手段３に記載の発明において、上記抜止部材は上記止着部材ま
たは上記被止着部材に対して遊挿されるとともに、当該抜止部材が遊挿されない上記止着
部材または上記被止着部材が干渉することにより抜け止めされる構成としてある。
【００２８】
すなわち、上記抜止部材を上記止着部材または上記被止着部材に対して遊挿することに
より、同抜止部材を同止着部材または同被止着部材から容易に除去することができる。た
だし、上記止着部材と上記被止着部材とが装着された状態においては、上記抜止部材は同
抜止部材が遊挿されない上記止着部材または上記被止着部材と干渉する。すなわち、上記
抜止部材は当該抜止部材とが上記ピンによって固定される際には、同抜止部材が固定され
、同抜止部材に対する上記挿入部の抜け止めを確実に行うことができる。このようにする
ことにより、上記止着部材または上記被止着部材から上記抜止部材の除去を容易にし、同
止着部材と同被止着部材と同抜止部材の分別を容易に行うことができるとともに、上記止
着部材と上記被止着部材とが装着された状態においては両者の固定を強固なものとするこ
とができる。むろん、上記止着部材と上記被止着部材と上記抜止部材の再利用性も向上す
る。
【００２９】
手段６
手段６にかかる発明は、請求項３から請求項５、または、手段１から手段４のいずれか
に記載の発明において、上記被止着部材と上記止着部材とは上記ピン挿入穴に挿入された
上記挿入部の剪断方向にスライド可能である構成としてある。
【００３０】
すなわち、上記ピン挿入穴に挿入された上記挿入部によって、上記被止着部材と上記止
着部材とが同挿入部の剪断方向にスライドすることを防止することができる。一方、上記
挿入部が上記ピン挿入穴における上記止着部材と上記被止着部材にまたがる位置にない場
合には、同被止着部材と同被止着部材とを相互にスライドさせることができる。
【００３１】
手段７
手段７にかかる発明は、請求項１から請求項５、または、手段１から手段４のいずれか
に記載の発明において、上記ピン挿入穴および上記ピンは複数対備えられる構成としてあ
る。
【００３２】
すなわち、複数対の上記ピン挿入穴および上記ピンが形成されるため、それぞれの同ピ
ン挿入穴および同ピンを利用して複数回固定を行うことができる。
【００３３】
手段８
手段８にかかる発明は、手段３から手段７のいずれかに記載の発明において、上記抜止
部材は上記止着部材と上記被止着部材の双方に装着される構成としてある。
【００３４】
すなわち、上記抜止部材が上記止着部材と上記被止着部材の双方に装着されるため、上
記挿入部を同止着部材と同被止着部材の双方によって抜け止めすることができる。
【００３５】
手段９
手段９にかかる発明は、請求項３から請求項５、または、手段１から手段８のいずれか
に記載の発明において、上記ピン挿入穴の径は１ｃｍ以下（望ましくは０．５ｃｍ以下）
とされる構成としてある。
【００３６】
すなわち、上記ピン挿入穴の径を１ｃｍ以下（望ましくは０．５ｃｍ以下）とすること
により、上記ピン挿入穴に指を入れて上記挿入部が同ピン挿入穴の奥深くまで押し込まれ
ることを防止することができる。すなわち、上記ピン挿入穴における上記被止着部材また
は上記止着部材が、単独、かつ連続的に占める部位を同ピン挿入穴の深い位置に形成して
おき、さらに上記ピン挿入穴の径を１ｃｍ以下（望ましくは０．５ｃｍ以下）とすること
により、径が１ｃｍ以下の工具を使用しない限り上記被止着部材または上記止着部材の固
定を解除できないようにすることができる。従って、不正な固定解除を行おうとする者の
手を煩わせることができる。
【００３７】
手段１０
手段１０にかかる発明は、手段２から手段８のいずれかに記載の発明において、上記被
止着部材と上記止着部材とは透明な部材であるとともに、上記ピンは着色される構成とし
てある。
【００３８】
すなわち、上記ピン挿入穴に挿入される上記ピンの様子を外部からも簡単に視認するこ
とができる。
【００３９】
手段１１
手段１１にかかる発明は、手段７から手段１０のいずれかに記載の発明において、複数
備えられた上記ピンにおける上記確認部は互いに連結される構成としてある。
【００４０】
すなわち、複数備えられた上記ピンにおける上記確認部を互いに連結することにより、
当該連結部位を破壊しない限り一の上記ピンを使用することはできないようにすることが
できる。従って、視認可能な上記確認部同士の連結箇所を視認することによって、複数備
えられた上記ピンのうちどれを使用しているかを簡単に把握することができる。
【００４１】
手段１２
手段１２にかかる発明は、請求項１から請求項５、または、手段１から手段１１のいず
れかに記載の発明において、上記確認部は平面状に形成される構成としてある。
【００４２】
すなわち、上記確認部を平面状に形成することにより、同確認部の面積を広面積とし、
同確認部の状態を視認しやすくすることができる。
【００４３】
手段１３
手段１３にかかる発明は、請求項１から請求項５、または、手段１から手段１２のいず
れかに記載の発明において、複数備えられた上記確認部にはそれぞれを識別するための識
別符合が視認可能に備えられる構成としてある。
【００４４】
すなわち、識別符合を読み取ることにより、複数備えられた上記ピンのうちどれを使用
しているかを簡単に把握することができる。また、正規の上記ピン以外のものが使用され
ていないかを確認することもできる。
【００４５】
手段１４
手段１４にかかる発明は、請求項１から請求項５、または、手段１から手段１３のいず
れかに記載の発明において、上記挿入部が上記ピン挿入穴における上記止着部材と上記被
止着部材にまたがる位置に挿入されるとき、上記確認部が上記止着部材または上記被止着
部材における上記ピン挿入穴の開口付近に形成された凹部に入り込むこと構成としてある
。
【００４６】
すなわち、上記挿入部によって上記止着部材と上記被止着部材との固定がなされるとき
、上記確認部を上記ピン挿入穴の開口付近に形成された凹部に入り込ませることができる
。従って、上記ピン挿入穴の外側に位置する上記確認部を摘んで上記ピンが抜き取られる
ことを防止することができる。
【００４７】
手段１５
手段１５にかかる発明は、請求項１から請求項５、または、手段１から手段１４のいず
れかに記載の発明において、上記遊技機はスロットマシンである構成としてある。
【００４８】
すなわち、本発明をスロットマシンに適用することができる。なお、スロットマシンは
、回転する複数のリールに描かれた絵柄を絵合わせすることにより遊技を楽しむ遊技機で
あり、主にメダルが遊技量の目安として使用される。
【００４９】
手段１６
手段１６にかかる発明は、請求項１から請求項５、または、手段１から手段１４のいず
れかに記載の発明において、上記遊技機はパチロットである構成としてある。
【００５０】
すなわち、本発明をパチロットにも適用することができる。なお、パチロットは、メダ
ルの代わりに一定数のパチンコ球を使用して絵合わせを行うものでありパチンコ機とスロ
ットマシンの両方の特徴を備えた遊技機である。このようなパチロットも、営業時間中を
含めて頻繁に開いてその背面側が目に触れるものである。このため、上記確認部が視認で
きる位置にあることによって不正を防止できる。
【発明の効果】
【００５１】
以上説明したように本発明は、止着部材とこれに装着される被止着部材の再利用が可能
な遊技機を提供することができる。
【００５２】
また、請求項２にかかる発明によれば、不正な固定解除があったことをすぐに発見する
ことができる。
【００５３】
また、請求項３にかかる発明によれば、挿入部の挿入位置を変えることによって止着部
材と被止着部材との固定を解除することができる。
【００５４】
さらに、請求項４にかかる発明によれば、基板を基板ボックスによって封止することが
できる。
【００５５】
さらに、請求項５にかかる発明によれば、基板ボックスを遊技機に取り付けることがで
きる。
【００５６】
また、手段１にかかる発明によれば、挿入部をピン挿入穴に対して固定することができ
る。
【００５７】
さらに、手段２にかかる発明によれば、多く係合箇所を形成することができるため、挿
入部の抜け止めを強固にすることができる。
【００５８】
さらに、手段３にかかる発明によれば、係合箇所を丈夫に形成することができるため、
挿入部の抜け止めを強固にすることができる。
【００５９】
さらに、手段４にかかる発明によれば、挿入部の抜け止めを確実なものとすることがで
きる。
【００６０】
さらに、手段５にかかる発明によれば、止着部材と被止着部材の再利用性を向上させる
ことができる。
【００６１】
さらに、手段６にかかる発明によれば、挿入部の剪断方向に止着部材と被止着部材とを
固定することができる。
【００６２】
さらに、手段７にかかる発明によれば、複数回にわたって止着部材と被止着部材との固
定を行うことができる。
【００６３】
さらに、手段８にかかる発明によれば、挿入部の抜け止めを強固にすることができる。
【００６４】
さらに、手段９にかかる発明によれば、挿入部が不正に押し込まれることを防止するこ
とができる。
【００６５】
さらに、手段１０にかかる発明によれば、ピンの状態を容易に確認することができる。
【００６６】
さらに、手段１１にかかる発明によれば、ピンの使用状態を容易に確認することができ
る。
【００６７】
さらに、手段１２にかかる発明によれば、ピンの状態を視認しやすくすることができる
。
【００６８】
さらに、手段１３にかかる発明によれば、不正なピンが使用されることを防止すること
ができる。
【００６９】
さらに、手段１４にかかる発明によれば、ピンが摘み出されることを防止することがで
きる。
【００７０】
さらに、手段１５にかかる発明によれば、リサイクル性の良いスロットマシンを提供す
ることができる。
【００７１】
さらに、手段１６にかかる発明によれば、リサイクル性の良いパチロットを提供するこ
とができる。
【図面の簡単な説明】
【００７２】
【図１】第一の実施形態にかかる制御ボックスの斜視図である。
【図２】第一の実施形態にかかる制御ボックスの要部斜視図である。
【図３】第一の実施形態にかかる制御ボックスの要部断面図である。
【図４】第一の実施形態にかかる制御ボックスの要部斜視図である。
【図５】第一の実施形態にかかる制御ボックスの要部断面図である。
【図６】第一の実施形態にかかる制御ボックスの要部断面図である。
【図７】第一の実施形態にかかるピンの斜視図である。
【図８】第一の実施形態にかかる制御ボックスの要部断面図である。
【図９】第一の実施形態にかかる制御ボックスの要部断面図である。
【図１０】第一の実施形態にかかる制御ボックスの要部断面図である。
【図１１】第一の実施形態にかかる制御ボックスの要部断面図である。
【図１２】第一の実施形態にかかるパチンコ遊技機の背面図である。
【図１３】第一の実施形態にかかる制御ボックスの要部斜視図である。
【図１４】第二の実施形態にかかる制御ボックスの側面図である。
【図１５】第二の実施形態にかかるスロットマシンの背面図である。
【図１６】第三の実施形態にかかる制御ボックスの要部断面図である。
【図１７】第三の実施形態にかかるパチロットの背面図である。
【図１８】第四の実施形態にかかる制御ボックスの要部断面図である。
【図１９】第四の実施形態にかかる制御ボックスの要部断面図である。
【図２０】第五の実施形態にかかる制御ボックスの斜視図である。
【図２１】第五の実施形態にかかるベース部材の斜視図である。
【図２２】第五の実施形態にかかるベース部材の背面図である。
【図２３】第五の実施形態にかかるベース部材の要部断面図である。
【図２４】第五の実施形態にかかるベース部材の要部断面図である。
【図２５】第五の実施形態にかかるベース部材の要部断面図である。
【図２６】第五の実施形態にかかるパチンコ遊技機の平面図である。
【発明を実施するための形態】
【００７３】
以下、下記の順序に従って本発明の実施形態を説明する。
（１）第一の実施形態：
（２）第二の実施形態：
（３）第三の実施形態：
（４）第四の実施形態：
（５）第五の実施形態：
（６）まとめ：
（１）第一の実施形態：
図１は、本発明の一実施形態にかかる遊技機の制御ボックス７０を斜視図により示して
いる。図において、皿部材１０は略矩形状とした全体形状のうち、相対面する辺に断面コ
の字形としたレール状のガイド部１１，１１を有しており、同様に略矩形形状とした蓋部
材２０における相対面する辺に形成した鍔状部２４，２４を同ガイド部１１，１１に沿わ
せるようにしてスライドして装着できるようになっている。
【００７４】
図示しないが、皿部材１０または蓋部材２０の内側には制御基板が装着されている。そ
して、皿部材１０と蓋部材２０とを所定の位置にスライドさせることにより、皿部材１０
と蓋部材２０の内側において閉鎖された制御基板の収容空間を有する制御ボックス７０を
形成することができる。これにより、制御基板を外部から隔離した状態で保持することが
でき、制御基板に不正が加えられることを防止することができる。なお、皿部材１０およ
び蓋部材２０は透明な合成樹脂で形成されているため、内部に収容された制御基板を外部
から視認することが可能となっている。
【００７５】
皿部材１０の紙面右端には略矩形箱状のピン受け部１２が突設されている。一方、蓋部
材２０の紙面右端にも略矩形板状の蓋板２２が突設されている。そして、ピン受け部１２
と蓋板２２とが上下に重なるように皿部材１０と蓋部材２０とをスライドさせたとき、皿
部材１０と蓋部材２０とで閉鎖された収容空間が形成される。さらに、閉鎖された収容空
間が形成された状態において、ピン受け部１２と蓋板２２とを利用して、皿部材１０と蓋
部材２０とを固定することが可能となっている。すなわち、皿部材１０と蓋部材２０とは
相互に固定可能であり、本発明にいう被止着部材および止着部材に相当する。以下、皿部
材１０と蓋部材２０との封止機構について説明する。
【００７６】
図２は、蓋板２２を斜めから見て示している。同図において蓋板２２は所定の厚みを有
する略矩形板状に形成されており、５個の蓋穴２２ａ，２２ａ，２２ａ，２２ａ，２２ａ
が厚み方向に形成されている。また、各蓋穴２２ａ，２２ａ，２２ａ，２２ａ，２２ａは
幅方向に一列に整列されており、それぞれ内側には金属製の抜止部材３０，３０，３０，
３０，３０が備えられている。それぞれの蓋穴２２ａの周囲には高さが低く形成された略
矩形の凹部２２ｃ，２２ｃ，２２ｃ，２２ｃ，２２ｃが形成されており、隣接する凹部２
２ｃ，２２ｃ，２２ｃ，２２ｃ，２２ｃ同士が相互に連結している。なお、各蓋穴２２ａ
，２２ａ，２２ａ，２２ａ，２２ａの形状は同様であるため、以下、一の蓋穴２２ａにつ
いて説明するものとする。
【００７７】
図３は、図２に示す断面Ｘ１における蓋板２２の断面を見て示している。同図において
、蓋穴２２ａの内側には一対の抜止部材３０，３０が装着されている。抜止部材３０，３
０は所定形状に切断された金属板を断面略コの状に屈曲させることにより形成されている
。蓋穴２２ａにおける壁面の下方部分の厚みを厚く形成することにより、肉厚部２２ａ１
，２２ａ１を形成している。一方、各抜止部材３０，３０の一端を内側に折り返すことに
より、返し３１，３１が形成されている。そして、蓋穴２２ａの壁面を挟み込むように抜
止部材３０，３０を押し上げることにより、返し３１，３１が肉厚部２２ａ１，２２ａ１
の上部にて係合する。これにより、抜止部材３０，３０を蓋穴２２ａに保持することがで
きる。
【００７８】
一方、抜止部材３０，３０における蓋穴２２ａの内側には、蓋穴２２ａの内側に向かっ
て突出する係合爪３２，３２，３２，３２が形成されている。一方の抜止部材３０に形成
された係合爪３２，３２は、それぞれ他方の抜止部材３０に形成された係合爪３２，３２
と同じ高さとなっている。係合爪３２，３２，３２，３２は蓋穴２２ａの内側に向かって
突出するように屈曲され、さらに先端部分が下方に屈曲されている。
【００７９】
図４は、ピン受け部１２を斜めから見て示している。同図においてピン受け部１２は略
矩形箱状に形成されており、内部に複数の壁面で構成されたピン受け穴１２ａ，１２ａ，
１２ａ，１２ａ，１２ａが５個形成されている。各ピン受け穴１２ａ，１２ａ，１２ａ，
１２ａ，１２ａの内側には金属製の抜止部材４０，４０，４０，４０，４０がそれぞれ備
えられている。略矩形状のピン受け穴１２ａ，１２ａ，１２ａ，１２ａ，１２ａは、それ
ぞれ上方に開口しており、各蓋穴２２ａと同様に幅方向に一列に整列している。ピン受け
部１２の紙面奥方の壁面を上方に延設することにより、略板状の停止壁１２ｃが形成され
ている。停止壁１２ｃが延設された最外壁面と各ピン受け穴１２ａとの間には、略板状の
保護壁１２ｂが形成されている。なお、各ピン受け穴１２ａ，１２ａ，１２ａ，１２ａ，
１２ａの形状は同様であるため、以下、一のピン受け穴１２ａについて説明するものとす
る。
【００８０】
図５は、図４に示す断面Ｘ２におけるピン受け部１２の断面を見て示している。同図に
おいて、ピン受け穴１２ａは上方に開口しており、同ピン受け穴１２ａの内側には抜止部
材４０が装着されている。抜止部材４０は金属板を略Ｕ字状に屈曲することにより形成さ
れており、上方の両端はそれぞれ下方に折り返されている。同折り返した部位の先端をそ
れぞれさらに内側に屈曲させることにより、返し４１，４１を形成している。一方、ピン
受け穴１２ａを構成する壁面の上方部分を厚く形成することにより、肉厚部１２ａ１，１
２ａ１を形成している。
【００８１】
そして、ピン受け穴１２ａの壁面を挟み込むように抜止部材４０を押し下げることによ
り、返し４１，４１が肉厚部１２ａ１，１２ａ１の下部にて係合する。これにより、抜止
部材４０をピン受け穴１２ａに保持することができる。さらに、抜止部材４０はピン受け
穴１２ａの底面に対してビス５０によってネジ止め固定されている。抜止部材４０におけ
るピン受け穴１２ａの内壁を覆う部位には、同ピン受け穴１２ａの内側に向かって突出し
、互いに同じ高さで対峙する二対の係合爪４２，４２，４２，４２が形成されている。係
合爪４２，４２，４２，４２はピン受け穴１２ａの内側に向かって突出するように屈曲さ
れ、さらに先端部分が下方に屈曲されている。
【００８２】
図６は、皿部材１０と蓋部材２０とがスライドし、蓋板２２がピン受け部１２に対して
スライド移動する様子を示している。同図において、蓋板２２およびピン受け部１２に形
成された蓋穴２２ａおよびピン受け穴１２ａの軸方向に対して直交する方向に蓋板２２と
ピン受け部１２とが相対移動する。そして、蓋板２２とピン受け部１２とが同図において
実線で示す相対位置となるとき、制御ボックス７０に皿部材１０と蓋部材２０とで囲まれ
た閉鎖空間が形成されるようになっている。なお、このとき蓋板２２のスライド方向奥方
端部がピン受け部１２から延設された停止壁１２ｃに当接するため、皿部材１０と蓋部材
２０とを簡単に位置決めすることができる。
【００８３】
すなわち、両者を共通とし蓋板２２側に開口する穴が形成される。以下、この穴のこと
をピン挿入穴Ａというものとする。ピン挿入穴Ａには片側４個の係合爪３２，３２，４２
，４２が周期状に形成されることとなる。これらの係合爪３２，３２，４２，４２はピン
挿入穴Ａの軸方向について一定の周期で形成されている。また、この状態において皿部材
１０と蓋部材２０とを固定することが可能となっている。すなわち、制御基板を外部から
封止することが可能となっている。
【００８４】
図７は、皿部材１０と蓋部材２０との固定に供されるピン６０を斜めから見て示してい
る。同図において、４個のピン６０，６０，６０，６０，６０が相互に連結した状態とな
っている。ピン６０，６０，６０，６０，６０の上部には平面状の確認部６１，６１，６
１，６１，６１が形成されており、同確認部６１，６１，６１，６１，６１には”１”，
”２”，”３”，”４”，”５”と表示する識別符合がそれぞれ目立つように付されてい
る。各確認部６１，６１，６１，６１，６１は、略板状で幅が狭く形成された切断部６２
，６２，６２，６２によって連結している。なお、ピン６０，６０，６０，６０，６０は
赤色に着色されている。各ピン６０，６０，６０，６０，６０は形状が同じであるため、
以下、一のピン６０について説明するものとする。
【００８５】
ピン６０における確認部６１の略中央部から下方に向かって略棒状の挿入部６３が垂設
されている。挿入部６３の径はほぼ一定であるものの、同挿入部６３の軸方向に対し一定
周期で外側に突出する４対８個の係合突起６４，６４，６４，６４，６４，６４，６４，
６４が形成されている。係合突起６４，６４，６４，６４，６４，６４，６４，６４の上
端面はそれぞれ挿入部６３の軸方向に対し直交する面とされ、一方、下端面はそれぞれ挿
入部６３の軸方向に対し傾斜し下方になるほど挿入部６３の径を小さくする面とされてい
る。このように形成されたピン６０をピン挿入穴Ａに対して挿入することにより、蓋板２
２とピン受け部１２とを固定し、さらには皿部材１０と蓋部材２０とを固定することがで
きる。
【００８６】
図８は、図６において実線で示す状態で形成されたピン挿入穴Ａにピン６０を挿入する
様子を示している。同図において、ピン６０における挿入部６３の下方部分のみがピン挿
入穴Ａに対して蓋板２２側から同挿入部６３の軸方向に挿入されている。具体的には、挿
入部６３の先端がピン挿入穴Ａにおける蓋板２２とピン受け部１２との境界部位のやや上
方に到達している。このとき、挿入部６３における下方の二対の係合突起６４，６４，６
４，６４がそれぞれ蓋穴２２ａにおける二対の係合爪３２，３２，３２，３２と係合する
。なお、同図においてピン６０は断面で示されており、確認部６１と挿入部６３とが肉厚
の薄い破断部６５によって接続していることが分かる。
【００８７】
すなわち、二対の係合爪３２，３２，３２，３２が対向する間隔よりも二対の係合突起
６４，６４，６４，６４が形成された挿入部６３の径が大きく形成されているため、軸方
向に挿入される挿入部６３の進行とともに、係合突起６４，６４，６４，６４の下端面と
係合爪３２，３２，３２，３２とが干渉する。上述のとおり係合突起６４，６４，６４，
６４の下端面は傾斜しているため、二対の係合爪３２，３２，３２，３２が対向する間隔
を押し広げるように挿入部６３を軸方向に挿入することができる。
【００８８】
金属製の係合爪３２，３２，３２，３２はバネ性を有し、自己を変形させつつ挿入部６
３の挿入に追従することが可能となっている。そして、係合爪３２，３２，３２，３２が
係合突起６４，６４を通過しきったところで、係合爪３２，３２，３２，３２は原形状に
復帰することにより、係合爪３２，３２，３２，３２に挿入部６３に対して食い込ませる
ことができる。すなわち、挿入部６３における下方の係合突起６４，６４，６４，６４が
それぞれ蓋穴２２ａにおける二対の係合爪３２，３２，３２，３２と係合し、ピン６０が
上方に対して抜け止めすることができる。
【００８９】
なお、対となる係合爪３２，３２，３２，３２が形成される軸方向の周期と、係合突起
６４，６４，６４，６４とが形成される軸方向の周期は同じとされているため、各係合突
起６４，６４，６４，６４および係合爪３２，３２，３２，３２にて同時に係合を行うこ
とができる。また、対となる係合爪４２，４２，４２，４２が形成される周期と、係合突
起６４，６４，６４，６４，６４，６４，６４，６４とが形成される周期も同じとされて
いるため、各係合突起６４，６４，６４，６４，６４，６４，６４，６４および係合爪４
２，４２，４２，４２にて同時に係合を行うことができる。これにより、ピン６０の抜け
止めが強固なものとなる。また、抜止部材３０，４０が金属で形成されるため、これらが
破壊されてピン６０の抜け止めが解除されるようなこともない。なお、図８に示す挿入部
６３の挿し込み位置では、図９に示すように蓋板２２とピン受け部１２とをスライドさせ
ることが可能である。
【００９０】
図１０は、図８，９に示した状態から、さらにピン６０を挿し込んだ状態を示している
。同図において、確認部６１が蓋板２２における凹部２２ｃに接触するまでピン６０をピ
ン挿入穴Ａに挿し込んでいる。凹部２２ｃの外形は確認部６１の外形よりもわずかに大き
く形成され、同凹部２２ｃの深さは確認部６１の厚みと同等とされているため、凹部２２
ｃに確認部６１が入り込み、蓋板２２の上面と確認部６１とで略同一面が形成されている
。
【００９１】
このとき、挿入部６３はピン挿入穴Ａにおけるピン受け部１２まで到達している。すな
わち、挿入部６３はピン受け穴１２ａまで到達している。そして、下方の二対の係合突起
６４，６４，６４，６４がピン受け穴１２ａにおける二対の係合爪４２，４２，４２，４
２に係合すると同時に、上方の二対の係合突起６４，６４，６４，６４が蓋穴２２ａにお
ける二対の係合爪３２，３２，３２，３２に係合している。すなわち、同図の状態におい
てもピン６０はピン挿入穴Ａに対して抜け止めされている。なお、抜止部材３０，４０は
それぞれ蓋穴２２ａとピン受け穴１２ａに係止しているため、ピン６０が抜止部材３０，
４０に係合すれば、ピン６０がピン挿入穴Ａに対して抜け止めされたこととなる。
【００９２】
この状態において、挿入部６３はピン挿入穴Ａにおける蓋板２２とピン受け部１２との
境界部位を横切っており、挿入部６３が蓋板２２とピン受け部１２とにまたがっている。
これにより、挿入部６３を剪断しない限り蓋板２２とピン受け部１２とをスライドさせる
ことが不可能となる。すなわち、皿部材１０と蓋部材２０とが両者のスライド方向に固定
され、制御基板を封止することができる。特に、蓋板２２とピン受け部１２のスライド方
向と挿入部６３の軸方向とが直交するため確実に固定することができる。また、確認部６
１が蓋板２２に接触するまでピン６０をピン挿入穴Ａに挿し込んだときに皿部材１０と蓋
部材２０との固定が実現されるため、固定するための挿入量を適正なものとすることがで
きる。
【００９３】
ところで、ピン６０をピン挿入穴Ａから抜き取れば皿部材１０と蓋部材２０との固定を
解除することができるが、各係合突起６４，６４，６４，６４，６４，６４，６４，６４
，６４，６４が係合爪３２，３２，３２，３２，４２，４２，４２，４２と係合している
ため簡単にピン６０を抜き取ることはできなくなっている。さらに、凹部２２ｃに確認部
６１が入り込み同一面状となっているため、ピン６０を摘んでピン挿入穴Ａから抜き取る
ことは困難となっている。
【００９４】
以上説明したように、本発明によれば制御基板を強固に封止することができる。一方、
制御基板等をメンテナンスする場合には、挿入部６３をさらに奥方に挿し込めばよい。図
１１は、挿入部６３をさらに奥方に挿し込んだ状態を示している。同図において、挿入部
６３を奥方に押し込むために破断部６５を破断して、確認部６１を挿入部６３から離脱さ
せている。このようにすることにより、確認部６１が蓋板２２と干渉することなく、挿入
部６３をさらに奥方に挿し込むことが可能となる。なお、破断部６５は肉薄に形成されて
いるため、ニッパーやカッターナイフ等によって容易に破断することができる。
【００９５】
挿入部６３は奥方に挿入され、同挿入部６３の上端はピン挿入穴Ａにおける蓋板２２と
ピン受け部１２との境界部位よりも下方に位置している。これにより、ピン受け部１２側
に保持された挿入部６３と干渉することなく蓋板２２をスライドさせることが可能となる
。すなわち、皿部材１０と蓋部材２０との固定を解除し、制御ボックス７０を開放するこ
とができる。この状態においても上方の係合突起６４，６４がピン受け穴１２ａにおける
二対の係合爪４２，４２，４２，４２と係合するため、挿入部６３を安定してピン受け穴
１２ａに保持しておくことができる。また、ピン受け穴１２ａの深さは挿入部６３の長さ
よりも長く形成されているため、スライドする際に蓋板２２と挿入部６３とが干渉しない
深さまで挿入部６３を挿入することが可能となっている。
【００９６】
すなわち、ピン受け穴１２ａはピン受け部１２により単独、かつ、連続的に形成され、
挿入部６３の長さよりも深いため、挿入部６３をピン受け部１２と蓋板２２とにまたがら
せることなく保持することができる。一方、ピン挿入穴Ａの径は５ｍｍ程度とされている
。従って、スライドする際に蓋板２２と挿入部６３とが干渉しない深さまで挿入部６３を
挿入するためには、５ｍｍよりも細い工具等を必要とさせることができる。従って、不正
を行おうとする者の手を煩わせることができる。また、確認部６１はピン挿入穴Ａの径よ
りも広く形成されており、確認部６１を挿入部６３から離脱させない限り、封止を解除す
るまで挿入部６３を挿し込むことはできない。言い換えれば封止が解除された場合には、
必ず確認部６１が離脱させられた痕跡が残ることとなる。従って、確認部６１の状態を確
認することにより、不正やメンテナンスの履歴を確認することができる。
【００９７】
図１２は、制御ボックス７０が取り付けられるパチンコ遊技機１を背面側から見て示し
ている。同図において、制御ボックス７０はパチンコ遊技機１の背面において蓋部材２０
が背面側に配向する向きで取り付けられている。このようにすることにより、蓋部材２０
から延設された蓋板２２を背面側に露出させることができる。すなわち、ピン挿入穴Ａが
開口を有する蓋部材２０側から挿し込まれるピン６０の確認部６１をパチンコ遊技機１の
背面側に露出させることができる。従って、確認部６１が挿入部６３から離脱させられて
いるかどうかをパチンコ遊技機１の背面側から一目で判断することができる。特に、確認
部６１は平面状とされており、広い面積を有しているため、その状態を容易に確認するこ
とができる。
【００９８】
図１３は、制御ボックス７０における蓋板２２およびピン受け部１２を斜めから見て示
している。同図において、一の切断部６２が切断されており、最も紙面手前側の識別符合
”１”と付された確認部６１のみが下降している。この確認部６１は蓋板２２の上面と同
一面状となっており、同確認部６１を有するピン６０にて封止を行っていることが判断で
きる。その他のピン６０は図８に示す状態となっており、制御ボックス７０に保持される
ものの、封止には寄与しない状態となっている。識別符合”１”と付された確認部６１を
有するピン６０による封止を解除すると、上述したとおり確認部６１は離脱する。従って
、不正に封止が解除されても、識別符合”１”と付された確認部６１がなくなっているこ
とにより、同不正があったことをすぐに発見することができる。
【００９９】
本実施形態においてピン挿入穴Ａが５穴形成されているため、５回は制御ボックス７０
を開放させることができる。例えば、識別符合”１”と付されたピン６０を破壊しても次
回は識別符合”２”と付されたピン６０を使用して封止を行うことができる。このように
、各確認部６１，６１，６１，６１，６１に識別符合を表示しておくことにより、開放履
歴の管理を容易に行うことができる。さらに、封止、開放を行う際に破壊されるのはピン
６０における切断部６２と破断部６５のみである。すなわち、制御ボックス７０の主要部
分を構成する皿部材１０と蓋部材２０は一切破壊されることはない。従って、新たなピン
６０を用意すれば、皿部材１０と蓋部材２０とを再利用することが可能である。
【０１００】
また、蓋板２２およびピン受け部１２は透明であり、ピン６０は赤色に着色されている
ため、ピン挿入穴Ａに挿入されることとなる挿入部６３の様子も外部から視認することが
可能である。従って、仮に挿入部６３のみを破壊するような不正があったとしても、同不
正があったことをすぐに発見することができる。さらに、図４に示すようにピン受け部１
２における最外壁面と各ピン受け穴１２ａとの間には保護壁１２ｂが形成されているため
、この保護壁１２ｂを破壊しない限り挿入部６３に手を加えることが不可能となっている
。
【０１０１】
（２）第二の実施形態：
図１４は、第二の実施形態にかかる制御ボックスを示している。同図において、制御ボ
ックス１７０は皿部材１１０と蓋部材１２０とで構成されており、紙面左端に形成された
ヒンジ１７０ａによって皿部材１１０と蓋部材１２０とは回動可能となっている。この回
動における皿部材１１０と蓋部材１２０との自由端にはそれぞれピン受け部１１２と蓋板
１２２が形成されている。そして、皿部材１１０と蓋部材１２０とが略平行となるように
回動させることにより、皿部材１１０と蓋部材１２０とで閉鎖空間を形成することが可能
となっている。このとき、ピン受け部１１２と蓋板１２２とが上下に重なるように形成さ
れている。
【０１０２】
ピン受け部１１２と蓋板１２２とは前実施形態と同様に形成されているため、図１０と
同様にピン受け部１１２と蓋板１２２とで共通するピン挿入穴Ａにピン１６０を挿入する
ことにより制御ボックス１７０を封止することができる。ただし、本実施形態において制
御ボックス１７０を開放するための皿部材１１０と蓋部材１２０の相対移動は、回動であ
り、ピン受け部１１２と蓋板１２２においては上下方向の離反となる。この場合において
も、図１０のようにピン１６０を挿入することにより、制御ボックス１７０の開放を阻止
することができる。蓋板１２２を上方に移動させようとすると、蓋板１２２と同蓋板１２
２に上方から当接している確認部１６１とが干渉するため、蓋板１２２が上方に移動する
ことはできないからである。
【０１０３】
すなわち、確認部１６１が蓋板１２２を挿入部１６３の挿入方向に押しつけることによ
っても、ピン受け部１１２と蓋板１２２とを固定することができる。この場合においても
、確認部１６１を挿入部１６３から離脱させることによって、制御ボックス１７０を開放
することができる。図１５は、制御ボックス１７０が取り付けられた第二の実施形態にか
かる遊技機としてのスロットマシンを背面側から見て示している。同図において、スロッ
トマシン２の背面に制御ボックス１７０が取り付けられている。すなわち、本発明をスロ
ットマシン２に適用することも可能である。
【０１０４】
（３）第三の実施形態：
第二の実施形態において、蓋板１２２と確認部１６１とが干渉すれさえすれば封止を行
うことができる。従って、より簡易なピン挿入穴Ａの構成として、図１６のような構成と
することも可能である。同図において、ピン挿入穴Ａにおける蓋板２２２が構成する蓋穴
２２２ａの部位には抜止部材を装着していない。このように蓋穴２２２ａに抜止部材を備
えさせないことにより、蓋穴２２２ａと挿入部２６３とが係合しなくなるが、蓋板１２２
と確認部１６１を干渉させることはできるため、前実施形態と同様に封止を行うことがで
きる。すなわち、必ずしも蓋穴２２２ａと挿入部２６３とが係合しなくても良く、蓋穴２
２２ａは挿入部２６３の挿入を案内する程度で足りる。このようにすることにより、部品
点数を減少させることができ、製造コストを低減することができる。
【０１０５】
図１７は、制御ボックス２７０を第二の実施形態にかかる遊技機としてのパチロットを
背面側から見て示している。同図において、パチロット３の背面に制御ボックス２７０が
取り付けられている。すなわち、本発明をパチロット３に適用することも可能である。パ
チロット３は、メダルの代わりにパチンコ遊技球を利用するものであり、例えば、パチン
コ球の５個がメダル１個に相当して遊技を楽しむことができる。
【０１０６】
（４）第四の実施形態：
図１８は、第四の実施形態にかかる蓋板およびピン受け部の断面を見て示している。同
図において、ピン受け穴３１２ａに装着された抜止部材３４０はピン受け穴３１２ａに対
して係止もしていないし、ネジ止め固定もされていない。ただし、蓋穴３２２ａの壁面の
下端を外側に延設することにより形成された仮止部３２２ｂ，３２２ｂが抜止部材３４０
の上方に位置するため、蓋板３２２とピン受け部３１２とが固定された状態においては、
抜止部材３４０が仮止部３２２ｂ，３２２ｂに干渉して、抜止部材３４０を上方に抜き取
ることは不可能となっている。従って、封止状態においては抜止部材３４０とピン３６０
とが係合することにより、ピン３６０を抜け止めすることができ、ピン３６０を抜き取ら
れないようにすることができる。
【０１０７】
なお、本実施形態においては、挿入部３６３の挿入方向と直交する方向に蓋板３２２と
ピン受け部３１２とがスライドするものとする。そして、図１９に示すように挿入部３６
３を奥方に押し込んで固定を解除した後に蓋板３２２をスライドさせると、仮止部３２２
ｂ，３２２ｂを抜止部材３４０の上方に位置させないようにすることができるため、抜止
部材３４０と仮止部３２２ｂ，３２２ｂとの干渉を解除するこができる。従って、抜止部
材３４０を上方に抜き取ることが可能となる。むろん、この時点で抜止部材３４０と係合
している挿入部３６３も抜止部材３４０とともに除去することができる。従って、再度抜
止部材３４０をピン受け穴３１２ａに装着し、新たなピン３６０を用意すれば再び当該ピ
ン受け穴３１２ａを使用して封止を行うことができる。従って、第一の実施形態のように
ピン挿入穴Ａを複数用意しなくても良いし、封止、開放の回数に制限もなくすることがで
きる。
【０１０８】
（５）第五の実施形態：
上述した実施形態において、止着部材と被止着部材として基板ボックスを構成する二の
部材を例に挙げて説明したが、他の部材に対して本発明を適用することも可能である。図
２０は、本実施形態にかかる止着部材または被止着部材としての制御ボックス４７０を斜
めから見て示している。同図において、回動式の制御ボックス４７０から略板状の固定板
４７２が突設されており、同固定板４７２に５個の固定穴４７２ａ，４７２ａ，４７２ａ
，４７２ａ，４７２ａが厚み方向に貫通している。
【０１０９】
図２１は、本実施形態にかかる止着部材または被止着部材としてのベース部材４９０を
斜めから見て示している。同図において、ベース部材４９０は略板状の取り付け面４９３
の裏側に略矩形箱状のピン受け部４９２が備えられている。ピン受け部４９２には上面に
開口を有する５穴のピン受け穴４９２ａ，４９２ａ，４９２ａ，４９２ａが形成されてお
り、同ピン受け穴４９２ａ，４９２ａ，４９２ａ，４９２ａ，４９２ａは固定板４７２に
形成された固定穴４７２ａ，４７２ａ，４７２ａ，４７２ａ，４７２ａと同様の配列とな
っている。そして、ピン受け穴４９２ａ，４９２ａ，４９２ａ，４９２ａ，４９２ａには
、第一の実施形態と同様に形成されたピン４６０，４６０，４６０，４６０，４６０をそ
れぞれ挿し込むことが可能となっている。取り付け面４９３の幅方向一端には上下一対の
支軸４９１，４９１が備えられ、反対側の端部には上下一対の固定穴４９４，４９４が形
成されている。
【０１１０】
図２２は、ベース部材４９０を取り付け面４９３の表側から見て示している。同図にお
いて、取り付け面４９３における裏側にピン受け部４９２が形成された部位には、表側か
ら矩形状の長細いセット穴４９３ａが形成されている。すなわち、セット穴４９３ａは取
り付け面４９３の表側からピン受け部４９２の内部にわたって形成されている。セット穴
４９３ａの形状は、制御ボックス４７０から突出する固定板４７２よりわずかに大きい形
状とされており。セット穴４９３ａに固定板４７２を挿し込むことにより、制御ボックス
４７０をベース部材４９０における正規の位置に取り付けることが可能となっている。
【０１１１】
図２３は、セット穴４９３ａに固定板４７２が挿し込まれた状態のピン受け部４９２を
断面から見て示している。なお、同図の断面は、図２１に示す断面線Ｘ３における鉛直断
面である。ピン受け穴４９２ａはセット穴４９３ａによって上下に分断されており、同分
断された部位に固定板４７２に形成された固定穴４７２ａが位置することにより、固定板
４７２とピン受け部４９２とに共通するピン挿入穴Ａが形成される。なお、上下に分断さ
れたピン受け穴４９２ａの各部にはそれぞれ抜止部材４４０，４４０が取り付けられてお
り、ピン４６０を抜け止めさせることが可能となっている。同図の状態においては、ピン
４６０の挿入部４６３はピン受け穴４９２ａの分断された上方部分までしか到達されてお
らず、固定板４７２をセット穴４９３ａから引き抜くことが可能となっている。すなわち
、ベース部材４９０から制御ボックス４７０を着脱することが可能となっている。
【０１１２】
しかし、図２４に示すように少なくとも一のピン４６０を下方に挿し込むことにより、
固定板４７２をピン受け部４９２に対して固定することが可能となる。すなわち、同図の
状態において、挿入部４６３が固定板４７２に形成された固定穴４７２ａまで到達してお
り、挿入部４６３が固定板４７２に形成された固定穴４７２ａとピン受け部４９２に形成
されたピン受け穴４９２ａにまたがって挿し込まれているため、挿入部４６３が剪断され
ない限り固定板４７２をピン受け部４９２に拘束することができる。
【０１１３】
さらに、図２５に示すようにピン４６０を下方に挿し込むことにより、固定板４７２の
ピン受け部４９２に対する固定を解除することができる。すなわち、同図の状態において
、挿入部４６３がピン受け部４９２に形成されたピン受け穴４９２ａの分断された下方部
分にのみ挿し込まれているため、挿入部４６３と固定板４７２とが干渉することなく固定
板４７２をセット穴４９３ａから引き抜くことができる。挿入部４６３が挿し込まれるピ
ン挿入穴Ａには、ピン受け部４９２単独で連続的に形成された部位（ピン受け穴４９２ａ
の分断された下方部分）が設けられているため、当該部位に挿入部４６３を位置させるこ
とにより、ピン４６０による封止を解除させることができる。なお、封止を解除した状態
においては、挿入部４６３と連結していた確認部４６１は第一の実施形態と同様に除去さ
れることとなるため、制御ボックス４７０の着脱履歴を容易に視認することができる。
【０１１４】
図２６は、パチンコ遊技機にベース部材４９０を取り付けた状態をパチンコ遊技機の上
方から見て示している。ベース部材４９０はパチンコ遊技機５の背面側に回動可能に枢支
され、固定穴４９４，４９４が形成された端部を自由端として回動することが可能となっ
ている。このように、ベース部材４９０をパチンコ遊技機５に対して開いた状態とするこ
とにより、ベース部材４９０における裏側に形成されたピン受け部４９２の様子を視認す
ることができる。従って、ピン受け部４９２の上面にピン４６０の確認部４６１が存在す
るかどうかを視認することができ、不正な開放の監視を容易に行うことが可能となってい
る。
【０１１５】
（６）まとめ：
以上説明したように、本発明において、封止、開放を行う際に破壊されるのはピン６０
における切断部６２と破断部６５のみとしている。すなわち、制御ボックス７０の主要部
分を構成する皿部材１０と蓋部材２０は一切破壊されることはない。従って、新たなピン
６０を用意すれば、皿部材１０と蓋部材２０とを再利用することが可能である。また、視
認可能に形成された確認部６１の状態を確認することにより、開放履歴を知ることができ
るため、不正の発見を容易にすることができる。
【０１１６】
なお、本発明の止着部材および被止着部材は、直接的、間接的を問わず遊技機に対して
取り付けることが可能であれば良く、上述した例以外の部材に本発明を適用することも当
然可能である。例えば、遊技機に取り付けられる各種電装部材や装飾部材等に本発明を適
用することも可能であるし、各種枠部材に対して適用することも可能である。また、本発
明を適用して遊技機本体に取り付けられた部材によって基板ボックスを外側からカバーす
ることにより、基板ボックスを不正に取り外す行為を防止することができる。
【符号の説明】
【０１１７】
１，５…パチンコ遊技機
２…スロットマシン
３…パチロット
１０，１１０…皿部材
１１…ガイド部
１２，１１２，３１２，４９２…ピン受け部
１２ａ，３１２ａ，４９２ａ…ピン受け穴
２０，１２０…蓋部材
２２，１２２，２２２，３２２…蓋板
２２ａ，２２２ａ，３２２ａ…蓋穴
２２ｃ…凹部
２４…鍔状部
３０，４０，３４０，４４０…抜止部材
３１，４１…返し
３２，４２…係合爪
５０…ビス
６０，１６０，３６０，４６０…ピン
６１，１６１，４６１…確認部
６２…切断部
６３，２６３，３６３，４６３…挿入部
６４…係合突起
６５…破断部
７０，１７０，２７０，４７０…制御ボックス
３２２ｂ…仮止部
４７２…固定板
４７２ａ…固定穴
４９０…ベース部材
４９３ａ…セット穴
Ａ…ピン挿入穴
【図１】
2011015986.tif 000003
【図２】
2011015986.tif 000004
【図３】
2011015986.tif 000005
【図４】
2011015986.tif 000006
【図５】
2011015986.tif 000007
【図６】
2011015986.tif 000008
【図７】
2011015986.tif 000009
【図８】
2011015986.tif 000010
【図９】
2011015986.tif 000011
【図１０】
2011015986.tif 000012
【図１１】
2011015986.tif 000013
【図１２】
2011015986.tif 000014
【図１３】
2011015986.tif 000015
【図１４】
2011015986.tif 000016
【図１５】
2011015986.tif 000017
【図１６】
2011015986.tif 000018
【図１７】
2011015986.tif 000019
【図１８】
2011015986.tif 000020
【図１９】
2011015986.tif 000021
【図２０】
2011015986.tif 000022
【図２１】
2011015986.tif 000023
【図２２】
2011015986.tif 000024
【図２３】
2011015986.tif 000025
【図２４】
2011015986.tif 000026
【図２５】
2011015986.tif 000027
【図２６】
2011015986.tif 000028
【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
被止着部材と、同被止着部材に対して装着可能な止着部材とを具備する遊技機において、
上記被止着部材と上記止着部材とに共通して形成されるピン挿入穴と、
上記ピン挿入穴における上記止着部材と上記被止着部材にまたがる位置に挿入され、この位置にて同止着部材または同被止着部材によって抜け止めされる略棒状の挿入部と、同ピン挿入穴の外側にて同挿入部と破断可能な破断部を介して接合しつつ同ピン挿入穴の径よりも大きく形成された確認部とからなるピンとを具備することを特徴とする遊技機。